(57)【要約】【課題】共鳴室内の球体が、唾液を吸着しないと共に洗浄時に吸水せず衛生的なホイッスルを提供する。【解決手段】ホイッスル体１０は共鳴室１２、吹込通路１３、及び出音孔１５を備え、共鳴室内には球体１８を押し込む。吹込通路に向けて息を吹込むと、気流によって共鳴室内の球体が揺れて共鳴室内で跳動し音を発する。該球体は、ＡＢＳ（アクリロニトリル・ブタジエン・スチレン共重合体）、ＰＰ（ポリプロピレン）、ゴム、銅、鉄、亜鉛合金、アルミニウム合金等の非吸水性材質で製作し、ホイッスル体の表層もしくは全部に夜光構造層を設ける。ホイッスルは、球体に唾液が吸着せず、洗浄時にも吸水しないため衛生的であると共に、蓄光性により夜間に視認可能である。【選択図】図１
0003205439.tif 000002
【実用新案登録請求の範囲】
【請求項１】
ホイッスル体を備えるホイッスルの構造において、
該ホイッスル体は、内部に共鳴室を構成する共鳴胴部とその後端に吹込通路が延びる歌口部を成形し、
該吹込通路は、共鳴室と貫通状態であって、共鳴室の所定の位置の共鳴胴部の壁面には更に出音孔が設置され、前述の共鳴室内には、吸水性のない材質からなる球体を押し込んでなり、
該球体は、吹込通路から入った共鳴室の気流によって揺れて跳動して笛音を発生し、且つホイッスルの洗浄時に吸水することなく洗浄、消毒可能としたことを特徴とするホイッスルの構造。
【請求項２】
前記共鳴室内に設置する球体は、ＡＢＳ（アクリロニトリル・ブタジエン・スチレン共重合体）からなることを特徴とする請求項１記載のホイッスルの構造。
【請求項３】
前記共鳴室内に設置する球体は、ＰＰ（ポリプロピレン）からなることを特徴とする請求項１記載のホイッスルの構造。
【請求項４】
前記共鳴室内に設置する球体はゴム材質からなることを特徴とする請求項１記載のホイッスルの構造。
【請求項５】
前記共鳴室内に設置する球体は、銅からなることを特徴とする請求項１記載のホイッスルの構造。
【請求項６】
前記共鳴室内に設置する球体は、鉄からなることを特徴とする請求項１記載のホイッスルの構造。
【請求項７】
前記共鳴室内に設置する球体は、亜鉛合金からなることを特徴とする請求項１記載のホイッスルの構造。
【請求項８】
前記共鳴室内に設置する球体は、アルミニウム合金からなることを特徴とする請求項１記載のホイッスルの構造。
【請求項９】
前記ホイッスル体は、二件式並列接続成型構造としたことを特徴とする請求項１記載のホイッスルの構造。
【請求項１０】
前記ホイッスル体は、両側シーリング並列接続成形構造としたことを特徴とする請求項１記載のホイッスルの構造。
【請求項１１】
前記ホイッスル体は、単一共鳴室構造としたことを特徴とする請求項１記載のホイッスルの構造。
【請求項１２】
前記ホイッスル体は、二共鳴室構造としたことを特徴とする請求項１記載のホイッスルの構造。
【請求項１３】
前記ホイッスル体は、その歌口部の前、後段に二本の所定距離を相互に隔てた口唇止め縁を成形し、ホイッスルを吹く時，該二口唇止め縁がちょうど、それぞれ口唇の内、外縁を止めて、吹く時の安定性と吹きやすさを向上したことを特徴とする請求項１記載のホイッスルの構造。
【請求項１４】
前記ホイッスル体の表層には、夜光構造層を設けたことを特徴とする請求項１記載のホイッスルの構造。
【請求項１５】
前記ホイッスル体は、全体に夜光構造層を設けたことを特徴とする請求項１記載のホイッスルの構造。
【考案の詳細な説明】
【技術分野】
【０００１】
本考案は、ホイッスルの構造に関するもので、公知のホイッスルのソフトコルク玉体もしくは発泡玉体が洗浄、消毒しにくく、且つ変形しやすく、更に暗視機能がない等の問題と欠点について研究し改善したものである。
【背景技術】
【０００２】
公知のホイッスルは、構造が口に適する形態のホイッスル体を備える。これらのホイッスル体は使用者の口部にくわえるのに適した歌口部を備え、歌口部には吹込通路を設置し、該吹込通路をホイッスル体の規格した共鳴室へ貫通させ、共鳴室内にはコルクもしくは発泡プラスチック材質で製作した球体を押し込み、共鳴室の予定部位から気流が誘導されて発音する出音孔を開設する。該出音孔のサイズは球体の直径より小さくして、球体は出音孔を通過できず、共鳴室内に留まるようにしなければならない。使用者が歌口部の吹込通路に息を吹き込んだ時、その気流は共鳴室内に進入して球体を揺らし、球体が共鳴室内で跳動することで、出音孔を通して鋭い笛音が発せられる。他に、公知のホイッスルの表層もしくは全体は暗視効果を備えた構造にデザインされていない。
【０００３】
一般のホイッスルが鳴る機能において、口で直接、ホイッスルの歌口部をくわえて吹く。息を吹き入れる時、唾液が気流と共に吹込通路及び共鳴室内に進入しやすいため、一時間使用すると、唾液が溜まって嫌な臭いが発生し、同時に、使用上の衛生問題が起こる。この種の問題を解決するため、使用者は直接水もしくは洗剤でホイッスルの吹込通路及び共鳴室を洗浄、消毒し、滞留した唾液を流し、嫌な臭いを取り除き、使用上の衛生を保つ。
【先行技術文献】
【特許文献】
【０００４】
【特許文献１】特開２０１４−９２７０９号公報
【考案の概要】
【考案が解決しようとする課題】
【０００５】
解決しようとする問題点は、ホイッスルを洗浄する方法で、簡単に行えるが、共鳴室内の球体はコルクもしくは発泡プラスチック等材質を採用して製作しているため、これらの材質の本体は吸水性を有する。そのため、ホイッスル使用時に唾液が付着しやすく嫌な臭いが残りやすいだけでなく、他に変形や笛音音色に影響を与える他、更にホイッスルを水洗浄する過程で、唾液が取り除きにくい他に、大量の水分を吸って球体が膨脹変形し、機能にも影響を与える。それによって使用しにくくなると同時に細菌を発生しやすく、ウイルスが付着し、使用において安全性と衛生面に影響を与える点である。
【課題を解決するための手段】
【０００６】
本考案は、ホイッスル体を成形し、ホイッスル体には少なくとも共鳴室、吹込通路、及び出音孔を備え、共鳴室内には球体を押し込む。口で吹込通路に向けて息を吹くと、気流によって共鳴室内の球体が揺れ、球体が共鳴室内で跳動し、気流が出音孔から出た時の状態を変化させ、笛音を発する機能を達成する。該共鳴室内から押し入れる球体は、ＡＢＳ（アクリロニトリル・ブタジエン・スチレン共重合体）、ＰＰ（ポリプロピレン）、ゴム、銅、鉄、亜鉛合金、アルミニウム合金等の非吸水性材質で製作される。他に、ホイッスル体の表層もしくは全部に夜光構造層を設置し、該夜光構造層は人体に無害の環境保護材を採用し、その環境保護材は吸光特性を備えた夜光粉を塗布し、ホイッスル体は日光もしくは照明光を吸収し、夜間の無照明の環境下では夜光粉の効果によってホイッスル体が自然発光することで暗視効果を備え、最良の産業利用性と実用性を与えることを最も主要な特徴とする。
【考案の効果】
【０００７】
本考案のホイッスルの構造は、使用者が息を吹いて唾液が共鳴室内部に入った時、直接水洗浄、消毒しても、球体は変形せず、カビが生える問題もないため、衛生面が向上し、使用寿命を延ばすという利点がある。
【図面の簡単な説明】
【０００８】
【図１】本考案の第一実施例の構造指示図一である。
【図２】本考案の第一実施例の構造指示図二である。
【図３】本考案の第二実施例の構造指示図一である。
【図４】本考案の第二実施例の構造指示図二である。
【図５】本考案の第二実施例の構造指示図三である。
【図６】本考案の第二実施例の二小球体構造指示図である。
【図７】本考案の第二実施例の二大球体構造指示図である。
【図８】本考案の第二実施例の使用者が実施した形態の構造関係指示図である。
【考案を実施するための形態】
【０００９】
公知のホイッスルは、構造上、共鳴室内に押し入れた球体はコルクもしくは発泡プラスチック材質で製造していたため、直接水洗浄、消毒できず、且つ唾液の付着に拠って嫌な臭いが発生し、細菌、ウイルスが繁殖し、衛生面と実用性に重大な影響を与えていた。他に、公知のホイッスルの表層もしくは全体には、暗視効果を備えた構造ではなかった。
【００１０】
ホイッスルを直接水で洗える便利性を与えるため、本考案は構造上、ＡＢＳ（アクリロニトリル・ブタジエン・スチレン共重合体）、ＰＰ（ポリプロピレン）、ゴム、銅、鉄、亜鉛合金、アルミニウム合金材質の球体を公知のソフトコルク玉体もしくは発泡プラスチック球体に取って変え、発音機能を下げないという原則において、直接水で洗浄し、且つ吸水して変形する問題を改善する。
他にホイッスル体の表層もしくは全部に夜光構造層を設置する。該夜光構造層は人体に無害の環境保護材を採用する。この環境保護材には蓄光特性を備えた夜光粉を塗布することで、ホイッスル体は日光もしくは照明光を吸収し、夜間の無照明の環境下では夜光粉によって、ホイッスル体が自然発光することで暗視効果を備え、最良の産業利用性と実用性を与える。
【００１１】
本考案のホイッスルはその構造によって、球体に唾液を吸着することで嫌な臭いの発生及び細菌、ウイルスの繁殖の問題を解決するだけでなく、更に吹込通路及び共鳴室に於いて、唾液が溜まっても、直接水で洗浄消毒でき、同時に球体は吸水変形せずに正常な使用機能を維持し、更に暗視効果も備える。
【実施例１】
【００１２】
本考案の構造組立、技術手段及び効果について、図と共に具体例を挙げて詳細に説明する。
【００１３】
図１〜２に示すのは、本考案のホイッスルの第一実施例である。図に示すのは、シングルチャンバー式ホイッスルであり、適する材質でホイッスル体１０を成形する。該ホイッスル体１０は、二件式並列接続もしくは両側シーリング並列接続の構造でもよく、その成形体内部は、共鳴室１２を備えた共鳴胴部１１とその後方に延びる吹込通路１４を備えた歌口部１３を備え、該吹込通路１４と共鳴室１２は連通した構造である。共鳴室１２の所定位置の共鳴胴部１１の壁に出音孔１５を更に貫通設置し、また歌口部１３の前、後段に所定の距離間隔で二本の相互に離れた口唇止め縁１６、１７を成形し、ホイッスルを吹く時、二口唇止め縁１６、１７はちょうどそれぞれ口唇の内、外縁で押さえ、吹く時の安定性と吹きやすさを向上する。また前述の共鳴室１２内に別に製作した球体１８を入れ、該球体１８は、ＡＢＳ（アクリロニトリル・ブタジエン・スチレン共重合体）、ＰＰ（ポリプロピレン）、ゴム、銅、鉄、亜鉛合金、アルミニウム合金等水を吸わない特性を備えた材質によって製造するのが望ましい。使用者がホイッスルを吹いた時、その吹いた気流は吹込通路１４から共鳴室１２へ導かれた後、共鳴室１２内に設置した球体１８を揺動させ、球体１８は共鳴室１２内で気流の流れに従って跳動し、笛音を発する。これがホイッスルの基本機能アーキテクチャーである。
【００１４】
上記構造のとおり、共鳴室１２内に押し込むのは、ＡＢＳ（アクリロニトリル・ブタジエン・スチレン共重合体）、ＰＰ（ポリプロピレン）、ゴム、銅、鉄、亜鉛合金、アルミニウム合金材質の球体１８であり、ホイッスルを一定期間使用すると、唾液がホイッスルの吹込通路１４、共鳴室１２の内壁及び球体１８表面に溜まる。該球体１８本体は吸水性ではないため、直接、水もしくは洗剤で洗浄及び消毒してもよい。こびりついた唾液及び取り残した異物を徹底して除去することで、嫌な臭いの発生を取り去り衛生を保つ。その際、その球体１８は水もしくは洗剤での洗浄水を吸収しないので、当然、口でくわえた時の唾液も球体１８は吸収することなく、球体に染みこむことがなく、拠って球体１８は膨張したり、変形したりすることがなく、ホイッスルの正常な機能を保ち、使用寿命を延ばす。
【実施例２】
【００１５】
図３〜図８は本考案ホイッスルの第二実施例である。図に示すとおり、該ホイッスル体２０は、二共鳴室２２、２２′、二吹込通路２４、２４′で区画される。ホイッスル体２０の共鳴胴部２１内部は隣接して設置するが、それぞれは独立した共鳴室２２、２２′で、同時に歌口部２３には隔てて隣接し、それぞれが相互に対応する共鳴室２２、２２′と貫通した二吹込通路２４、２４′を設置する。また各共鳴室２２、２２′にはそれぞれ出音孔２５、２５′を設置し、各共鳴室２２、２２′内には、それぞれＡＢＳ（アクリロニトリル・ブタジエン・スチレン共重合体）、ＰＰ（ポリプロピレン）、ゴム、銅、鉄、亜鉛合金、アルミニウム合金材質で製作した球体２６、２６′を押し込み、且つその二共鳴室２２、２２′内に押し込む球体２６、２６′は大小、両方小もしくは両方大等異なる組み合わせでも良い。またホイッスル体２０の歌口部２３の前、後段位置には同様に口唇止め縁２７、２８を設置し、デュアルチャンバー式ホイッスルの基本機能アーキテクチャーで構成し、二吹込通路２４、２４′、二共鳴室２２、２２′及び二球体２６、２６′を設けた構造によって、その笛から同時に二笛音が発し、球体２６、２６′のサイズによって、更に多様な笛音変化が表れる。
【００１６】
上述のホイッスルは、使用して一定期間が経つと、その吹込通路２４、２４′、共鳴室２２、２２′内壁と球体２６、２６′表面に唾液が溜まる問題は避けられない。その球体２６、２６′は水を吸収しない材質で製作されているので、直接水もしくは洗剤で洗浄、消毒し、嫌な臭いや細菌、ウイルスの繁殖を取り除いた時でも当然ながら、球体２６、２６′は吸水変形せず、その機能性と衛生を有効に維持する。他に、ホイッスル体１０の表層もしくは全部は、夜光構造層を設置する。該夜光構造層は人体に無害の環境保護材を採用し、その環境保護材は蓄光特性を備えた夜光粉を塗布し、ホイッスル体は日光もしくは照明光を吸収し、夜間の無照明の環境下では夜光粉の効用によって，ホイッスル体が自然発光することで暗視効果を備え，最良の産業利用性と実用性を与える。
【００１７】
以上の説明に拠って、本考案のホイッスル構造は、公知のホイッスルの基本機能アーキテクチャーに基づき、共鳴室内部の球体によって、水を吸わない特性のＡＢＳ（アクリロニトリル・ブタジエン・スチレン共重合体）、ＰＰ（ポリプロピレン）、ゴム、銅、鉄、亜鉛合金、アルミニウム合金材質で製作した球体がコルクもしくは発泡プラスチックで製作した球体構造に取って代わることによって、直接ホイッスルを水で洗浄、消毒し，唾液の滞留によって嫌な臭いの発生及び細菌、ウイルスの繁殖を起こさず、同時に公知の球体変形が起こらない。それ故、使用の衛生と耐用性が大幅に向上する。他に、ホイッスル体の表層もしくは全部に夜光構造層を設置し、該夜光構造層は人体に無害の環境保護材を採用し，その環境保護材は蓄光特性を備えた夜光粉を塗布し，ホイッスル体は日光もしくは照明光を吸収し，夜間の無照明の環境下では夜光粉によって，ホイッスル体が自然発光することで暗視効果を備え、産業利用性と実用性を備える。
【００１８】
上述のとおり、本考案のホイッスルの構造は、公知の同類物品の欠点を改善し、最良の衛生と耐用性を有し、公知のホイッスル構造と比較して、産業利用性と実用性に優れることから、実用新案登録を申請する。
【符号の説明】
【００１９】
１０        ホイッスル体            
１１        共鳴胴部
１２        共鳴室            
１３        歌口部
１４        吹込通路        
１５        出音孔
１６        口唇止め縁
１７        口唇止め縁  
１８        球体
２０        ホイッスル体            
２１        共鳴胴部
２２        共鳴室
２２′      共鳴室  
２３        歌口部
２４        吹込通路
２４′      吹込通路
２５        出音孔
２５′      出音孔
２６        球体
２６′      球体
２７        口唇止め縁
２８        口唇止め縁
【図１】
0003205439.tif 000003
【図２】
0003205439.tif 000004
【図３】
0003205439.tif 000005
【図４】
0003205439.tif 000006
【図５】
0003205439.tif 000007
【図６】
0003205439.tif 000008
【図７】
0003205439.tif 000009
【図８】
0003205439.tif 000010
【手続補正書】
【提出日】平成28年5月27日(2016.5.27)
【手続補正１】
【補正対象書類名】実用新案登録請求の範囲
【補正対象項目名】全文
【補正方法】変更
【補正の内容】
【実用新案登録請求の範囲】
【請求項１】
ホイッスル体を備えるホイッスルの構造において、
該ホイッスル体は、内部に共鳴室を構成する共鳴胴部とその後端に吹込通路が延びる歌口部を成形し、
該吹込通路は、共鳴室と貫通状態であって、共鳴室の所定の位置の共鳴胴部の壁面には更に出音孔が設置され、前述の共鳴室内には、吸水性のない材質からなる球体を押し込んでなり、
該球体は、吹込通路から入った共鳴室の気流によって揺れて跳動して笛音を発生し、且つホイッスルの洗浄時に吸水することなく洗浄、消毒可能としたことを特徴とするホイッスルの構造。
【請求項２】
前記共鳴室内に設置する球体は、ＡＢＳ（アクリロニトリル・ブタジエン・スチレン共重合体）からなることを特徴とする請求項１記載のホイッスルの構造。
【請求項３】
前記共鳴室内に設置する球体は、ＰＰ（ポリプロピレン）からなることを特徴とする請求項１記載のホイッスルの構造。
【請求項４】
前記共鳴室内に設置する球体はゴム材質からなることを特徴とする請求項１記載のホイッスルの構造。
【請求項５】
前記共鳴室内に設置する球体は、銅からなることを特徴とする請求項１記載のホイッスルの構造。
【請求項６】
前記共鳴室内に設置する球体は、鉄からなることを特徴とする請求項１記載のホイッスルの構造。
【請求項７】
前記共鳴室内に設置する球体は、亜鉛合金からなることを特徴とする請求項１記載のホイッスルの構造。
【請求項８】
前記共鳴室内に設置する球体は、アルミニウム合金からなることを特徴とする請求項１記載のホイッスルの構造。
【請求項９】
前記ホイッスル体は、単一共鳴室構造としたことを特徴とする請求項１記載のホイッスルの構造。
【請求項１０】
前記ホイッスル体は、二共鳴室構造としたことを特徴とする請求項１記載のホイッスルの構造。
【請求項１１】
前記ホイッスル体は、その歌口部の前、後段に二本の所定距離を相互に隔てた口唇止め縁を成形し、ホイッスルを吹く時，該二口唇止め縁がちょうど、それぞれ口唇の内、外縁を止めて、吹く時の安定性と吹きやすさを向上したことを特徴とする請求項１記載のホイッスルの構造。
【請求項１２】
前記ホイッスル体の表層には、夜光構造層を設けたことを特徴とする請求項１記載のホイッスルの構造。
【請求項１３】
前記ホイッスル体は、全体に夜光構造層を設けたことを特徴とする請求項１記載のホイッスルの構造。